(57)【要約】【課題】比較的簡易な暗号処理のアルゴリズムでも機密性の高い認証システムの実現を図る。【解決手段】本体機器１１に装着される外部機器１２の認証を行う認証システム１０には、認証装置１３とは別体の専用チップとして設けられるＩＤ確認装置１４が本体機器１１内に備えられる。ＩＤ確認装置１４は、認証装置１３より入力される認証要求信号ＲＱに応答して、本体機器１１側の識別信号である第１の識別信号を生成し、その第１の識別信号と前記外部機器１２側の識別信号である第２の識別信号とを比較して、その比較結果を認証結果信号ＲＳとして認証装置１３に出力する。これにより、認証装置１３は、認証結果信号ＲＳに基づいて、外部機器１２が適正なものであるか否かのみを判定する。【選択図】      図１
2005073053.tif 000002
【特許請求の範囲】
【請求項１】
本体機器に装着される外部機器の認証を行う認証システムであって、
前記本体機器内に設けられた認証装置より出力される認証要求に応答して、前記本体機器側の識別信号である第１の識別信号を生成し、その第１の識別信号と前記外部機器側の識別信号である第２の識別信号とを比較して、その比較結果を認証結果として前記認証装置に出力する前記本体機器内にて前記認証装置とは別体に設けられる半導体装置であるＩＤ確認装置
を備えることを特徴とする認証システム。
【請求項２】
前記ＩＤ確認装置は、
前記認証要求に応答して認証処理を行う認証処理部と、
前記認証処理部より出力されるＩＤ取得用コードに所定の暗号処理を施して前記第１の識別信号を生成する第１の暗号処理部と、
前記外部機器側と所定の通信プロトコルに従って、前記ＩＤ取得用コードを前記外部機器に送信し、前記外部機器において生成された前記第２の識別信号を受信する通信処理を行うための第１の通信部と、を含み、
前記認証処理部は、前記第１の識別信号と、前記第２の識別信号とを比較し、その比較結果を認証結果信号として前記認証装置に出力する
ことを特徴とする請求項１記載の認証システム。
【請求項３】
認証要求信号を前記ＩＤ確認装置に出力する認証トリガ発生部と、
前記ＩＤ確認装置より出力される前記認証結果信号に基づいて前記外部機器が適正なものか否かを判定する認証判定部と、を有する前記認証装置
を更に備えることを特徴とする請求項１又は２記載の認証システム。
【請求項４】
本体機器に装着される外部機器の認証を行う認証システムにおいて、前記本体機器内に設けられるＩＤ確認装置であって、
前記本体機器内に設けられた認証装置より出力される認証要求信号に応答して、前記外部機器の認証処理を行う認証処理部と、
前記本体機器側の識別信号である第１の識別信号を所定の暗号処理に基づいて生成する第１の暗号処理部と、
前記外部機器側と所定の通信プロトコルに従って、ＩＤ取得用コードを前記外部機器に送信し、前記外部機器において生成された第２の識別信号を受信する通信処理を行うための第１の通信部と、を備え、
前記認証処理部は、前記第１の識別信号と、前記第２の識別信号とを比較し、その比較結果を認証結果信号として前記認証装置に出力する
ことを特徴とするＩＤ確認装置。
【請求項５】
本体機器に装着される外部機器に搭載可能なＩＤ発生装置であって、
前記本体機器と所定の通信プロトコルに従って通信処理を行うための第２の通信部と、
前記第２の通信部を介して受信したＩＤ取得用コードに所定の暗号処理を施して第２の識別信号を生成する第２の暗号処理部と、を有し、
前記第２の通信部は、前記ＩＤ取得用コードを前記本体機器から受信し、前記第２の識別信号を前記本体機器に送信する
半導体装置に集積されたＩＤ発生装置。
【請求項６】
請求項１乃至３の何れか一項記載の認証システムに使用する請求項５記載のＩＤ発生装置。
【発明の詳細な説明】
【技術分野】
【０００１】
本発明はＩＤ確認装置、ＩＤ発生装置及び認証システムに係り、詳しくは、本体機器に装着される外部機器が適正な機器であるか否かを識別する際に使用して好適な認証システムに関する。
【背景技術】
【０００２】
通常、携帯電話機等の携帯機器においては、本体に電力を供給するバッテリを搭載した電池パックが本体から着脱可能な構成とされる。これにより、バッテリが劣化したときには、電池パックを交換するのみで手持ちの機器を継続的に利用することができる。
【０００３】
ところで、こうした電池パックを製造する業者によっては、コストの低減を追求するあまり、その品質が不満足なものになることが多々ある。このような電池パックを使用した場合、機器が使用できなくなったり、発熱等によって本体機器が故障したりする危険がある。
【０００４】
そこで従来、製造された電池パックが品質上問題がない適正なものであるか否かを識別すべく、本体機器に装着される電池パック等の外部機器の認証には識別信号が用いられてきた（例えば特許文献１参照）。
【０００５】
図３は、従来の認証システム４０を示す全体構成図である。
【０００６】
この図は、携帯機器４１（本体機器）に装着される電池パック４２（外部機器）の識別を行うシステムに適用した例を示しており、この電池パック４２が携帯機器４１に対して着脱可能となっている。そして、携帯機器４１にはマイコン４３が搭載されており、このマイコン４３が電池パック４２に搭載された専用ＬＳＩ４４との間でデータのやり取りを行うことにより電池パック４２の識別を行うようになっている。
【０００７】
この認証システム４０の概要を説明すると、マイコン４３は、携帯機器４１に電池パック４２が装着されると、この電池パック４２が適正なものであるか否かを識別するための識別信号（ＩＤ：Identification）を取得すべく、認証処理部５１を起動してＩＤ取得のためのコード（符号列）を発生させる。
【０００８】
このコードは、マイコン４３の暗号処理部５２に入力される。この暗号処理部５２は、上記コードに基づいて所定の演算処理（暗号処理）を行うことにより、携帯機器４１側の識別信号である第１の識別信号を発生させる。
【０００９】
また、上記コードは、マイコン４３，専用ＬＳＩ４４の各通信部５３，５４を介して同ＬＳＩ４４の暗号処理部５５にも入力され、同暗号処理部５５は、上記コードに基づいて所定の演算処理（暗号処理）を行うことにより、電池パック４２側の識別信号である第２の識別信号を発生させる。この第２の識別信号は、各通信部５４，５３を介して認証処理部５１に転送される。
【００１０】
そして、認証処理部５１において、上記第１の識別信号と上記第２の識別信号とが比較されることにより、携帯機器４１側からみた電池パック４２が適正なものか否かが判断される。
【特許文献１】特開２００３−１６２９８６号公報
【発明の開示】
【発明が解決しようとする課題】
【００１１】
ところで、上記のような認証システム４０は、認証に必要な携帯機器４１側の識別信号（第１の識別信号）を、マイコン４３上でソフトウェア処理して発生させるシステムであるため、同識別信号を発生させる暗号処理部５２の暗号アルゴリズムを多くのソフトウェア開発者に公開する必要がある。このため、暗号情報が漏洩する危険性があった。また、同システム４０では、マイコン４３と専用ＬＳＩ４４との間で直接データのやり取りを行い、マイコン４３上で認証処理を行うため、その認証方式やデータ通信に使用される通信方式（通信プロトコル）が漏洩する危険性もあった。このため、従来システムは機密性の面では不満足なものであった。
【００１２】
本発明はこうした実情に鑑みてなされたものであり、その目的は比較的簡易な暗号処理のアルゴリズムでも高い機密性を維持できるＩＤ確認装置、ＩＤ発生装置及び認証システムを提供することにある。
【課題を解決するための手段】
【００１３】
上記の目的を達成するため、請求項１に記載の発明によれば、本体機器に装着される外部機器の認証を行う認証システムには、前記本体機器内に設けられた認証装置より出力される認証要求に応答して、前記本体機器側の識別信号である第１の識別信号を生成し、その第１の識別信号と前記外部機器側の識別信号である第２の識別信号とを比較して、その比較結果を認証結果として前記認証装置に出力する前記本体機器内にて前記認証装置とは別体に設けられる半導体装置であるＩＤ確認装置が備えられる。このような認証システムでは、第１の識別信号を発生させるための暗号処理のアルゴリズムが、認証装置とは別体の半導体装置として本体機器内に備えられるＩＤ確認装置に組み込まれるため、暗号アルゴリズムの秘匿性が高められるとともに、暗号アルゴリズムを非公開の独自アルゴリズムとすることができる。これにより、暗号情報の漏洩を防止して、比較的簡易な暗号アルゴリズムであっても機密性の高いシステムを実現することができる。また、この認証システムでは、暗号処理に加えて、認証処理や同処理における外部機器側との通信処理までもがＩＤ確認装置によって行われることにより、認証シーケンスや通信プロトコルの特殊性が漏洩するのを防止して機密性の高いシステムの構築が可能である。
【００１４】
請求項２に記載の発明によれば、前記ＩＤ確認装置は、前記認証要求に応答して認証処理を行う認証処理部と、前記認証処理部より出力されるＩＤ取得用コードに所定の暗号処理を施して前記第１の識別信号を生成する第１の暗号処理部と、前記外部機器側と所定の通信プロトコルに従って、前記ＩＤ取得用コードを前記外部機器に送信し、該外部機器において生成された前記第２の識別信号を受信する通信処理を行うための第１の通信部と、を含み、前記認証処理部は、前記第１の識別信号と、前記第２の識別信号とを比較し、その比較結果を認証結果信号として前記認証装置に出力する。
【００１５】
請求項３に記載の発明によれば、前記認証装置は、認証要求信号を前記ＩＤ確認装置に出力する認証トリガ発生部と、前記ＩＤ確認装置より出力される前記認証結果信号に基づいて前記外部機器が適正なものか否かを判定する認証判定部と、を有している。この構成によれば、認証装置における処理を、認証要求信号を出力する処理と、ＩＤ確認装置より受け取った認証結果信号に基づいて認証判定する処理のみとすることができる。従って、認証装置での処理の負荷を軽減することができる。
【００１６】
請求項４に記載の発明によれば、本体機器に装着される外部機器の認証を行う認証システムにおいて、前記本体機器内に設けられるＩＤ確認装置には、前記本体機器内に設けられた認証装置より出力される認証要求信号に応答して、前記外部機器の認証処理を行う認証処理部と、前記本体機器側の識別信号である第１の識別信号を所定の暗号処理に基づい
て生成する第１の暗号処理部と、前記外部機器側と所定の通信プロトコルに従って、ＩＤ取得用コードを前記外部機器に送信し、前記外部機器において生成された第２の識別信号を受信する通信処理を行うための第１の通信部と、が備えられ、前記認証処理部は、前記第１の識別信号と、前記第２の識別信号とを比較し、その比較結果を認証結果信号として前記認証装置に出力する。
【００１７】
請求項５に記載の発明によれば、本体機器に装着される外部機器に搭載可能なＩＤ発生装置は半導体装置に集積されてなり、該ＩＤ発生装置には、前記本体機器と所定の通信プロトコルに従って通信処理を行うための第２の通信部と、前記第２の通信部を介して受信したＩＤ取得用コードに所定の暗号処理を施して第２の識別信号を生成する第２の暗号処理部と、が備えられている。このＩＤ発生装置の第２の通信部は、前記ＩＤ取得用コードを前記本体機器から受信し、前記第２の識別信号を前記本体機器に送信する。
【００１８】
請求項６に記載の発明によれば、請求項５記載のＩＤ発生装置は、請求項１乃至３の何れか一項記載の認証システムに使用される。
【発明の効果】
【００１９】
本発明によれば、比較的簡易な暗号処理のアルゴリズムでも高い機密性を維持することのできる認証システム及び同システムに搭載されるＩＤ確認装置及びＩＤ発生装置を提供することができる。
【発明を実施するための最良の形態】
【００２０】
以下、本発明に係る認証システムを、例えば携帯電話機等の携帯機器に装着される電池パックを識別するシステムに適用した一実施の形態について、図面を参照しながら説明する。
【００２１】
図１は、本実施の形態の認証システム１０を示す全体構成図である。
【００２２】
この認証システム１０において、携帯電話機の本体機器としての携帯機器１１には、外部機器としての電池パック１２が装着され、この電池パック１２が前記携帯機器１１に対して着脱可能となっている。
【００２３】
携帯機器１１には、同携帯機器１１に装着された電池パック１２が適正ものか否かを識別する認証装置としての機能を持つマイコン１３、及びＩＤ確認装置として機能する専用ＬＳＩ（以下第１ＬＳＩと称す）１４が備えられている。また、電池パック１２には、図示しないバッテリと共に、ＩＤ発生装置として機能する専用ＬＳＩ（以下第２ＬＳＩと称す）１５が備えられている。これら携帯機器１１と電池パック１２とは、図示しない給電端子を介して電気的に接続されている。
【００２４】
ここで、本実施の形態の認証システム１０の概略構成について述べる。
【００２５】
前記携帯機器１１に搭載されるマイコン１３には認証トリガ発生部２１と認証判定部２２とが備えられている。認証トリガ発生部２１は、携帯機器１１に電池パック１２が装着された状態で、後述する第１ＬＳＩ１４の認証処理部２３に電池パック１２の識別処理（認証処理）を要求する認証要求信号ＲＱを発生する。一方、認証判定部２２は、同認証処理部２３における認証処理の結果を認証結果信号ＲＳとして受け取り、この認証結果信号ＲＳに基づいて電池パック１２が適正なものであるか否かを判断する。
【００２６】
前記ＩＤ確認装置としての第１ＬＳＩ１４は、認証処理部２３、暗号処理部２４及び通信部２５を含む半導体装置であり、認証処理部２３は、前記認証トリガ発生部２１より出力される認証要求信号ＲＱに応答して、電池パック１２の認証処理を行う。
【００２７】
詳しくは、認証処理部２３は、認証要求信号ＲＱを受け取ると、認証に必要な携帯機器１１側の識別信号である第１の識別信号を暗号処理部２４より取得する。この暗号処理部２４は、前記認証処理部２３より識別信号の生成対象となるデータを受信し、予め定められた暗号アルゴリズムに基づいて同受信データに所定の暗号処理を施すことにより第１の識別信号を生成する。
【００２８】
また、前記認証処理部２３は、前記電池パック１２に搭載されるＩＤ発生装置としての第２ＬＳＩ１５と所定の通信プロトコルに従ってデータ通信し、同認証に必要な電池パック１２側の識別信号である第２の識別信号を通信部２５を介して第２ＬＳＩ１５より取得する。そして、認証処理部２３は、それぞれ取得した第１の識別信号と第２の識別信号とに基づいて電池パック１２の識別を行い、その結果を示す認証結果信号ＲＳを上記認証判定部２２に出力する。
【００２９】
前記第２ＬＳＩ１５は、前記第１ＬＳＩ１４と通信処理を行うための通信部２６と、前記第２の識別信号を生成する暗号処理部２７とを含む半導体装置である。この暗号処理部２７は、通信部２６を介して前記認証処理部２３より識別信号の生成対象となるデータを受信し、予め定められた暗号アルゴリズムに基づいて同受信データに所定の暗号処理を施すことにより第２の識別信号を生成する。
【００３０】
尚、本実施の形態において、上記第１ＬＳＩ１４が有する暗号処理部２４と上記第２ＬＳＩ１５が有する暗号処理部２７とは同一構成であり、それぞれ同様な暗号アルゴリズムにて暗号処理を行う。すなわち、各暗号処理部２４，２７は、前記認証処理部２３より受信する同一のデータに対しては同一の識別信号を生成するようになっている。
【００３１】
上記のような認証システム１０では、認証トリガ発生部２１より出力される認証要求信号ＲＱに基づいて、第１ＬＳＩ１４の暗号処理部２４で生成された第１の識別信号と第２ＬＳＩ１５の暗号処理部２７で生成された第２の識別信号とが認証処理部２３において比較される。そして、この比較結果が認証結果信号ＲＳとして上記認証判定部２２に出力され、同判定部２２により、認証結果信号ＲＳに基づいて電池パック１２が適正なものであるか否かが判断される。詳しくは、本実施の形態では、第１の識別信号と第２の識別信号が一致する旨を示す認証結果信号ＲＳが認証処理部２３より出力される場合に、認証判定部２２は、携帯機器１１側からみて電池パック１２が適正なものであると判断する。
【００３２】
次に、上記認証システム１０の具体的な構成及び同構成における具体的な識別処理の流れを図２に従って説明する。尚、図中、上記した図１に示す構成と同様な構成部分については同一符号を付すこととする。
【００３３】
同図において、第１ＬＳＩ１４内における認証シーケンス部３１，ＩＤ取得用コード生成部（以下コード生成部と略す）３２及びＩＤ比較部３３は、上記認証処理部２３（図１）の構成を機能別に分割して示したものである。また、第１ＬＳＩ１４内におけるＩＤ生成部３４及び鍵データレジスタ３５（図中「鍵」で表記）は、上記暗号処理部２４（図１）の構成を機能別に分割して示したものである。また、第２ＬＳＩ１５内におけるＩＤ生成部３６及び鍵データレジスタ３７（図中「鍵」で表記）は、上記暗号処理部２７（図１）の構成を機能的に分割して示したものである。その他の構成については上記した図１と同様である。
【００３４】
このような認証システム１０では、携帯機器１１に電池パック１２が装着されると、認証トリガ発生部２１は、認証要求信号ＲＱを発生して認証シーケンス部３１に送信し、この認証要求信号ＲＱに応答して認証シーケンス部３１は、認証処理を開始する。すなわち、認証シーケンス部３１は、認証要求信号ＲＱを受け取ると、まず、同処理に必要な携帯
機器１１側の識別信号（第１の識別信号）と電池パック１２側の識別信号（第２の識別信号）とを取得すべく、コード生成部３２を活性化して各識別信号の生成対象となるＩＤ取得用コードＣ１を発生させる。このＩＤ取得用コードＣ１は、本実施の形態では例えばデータ長の可変なランダムなデータ（符号列）として生成される。
【００３５】
次いで、認証シーケンス部３１は、上記コード生成部３２において生成されたＩＤ取得用コードＣ１をＩＤ生成部３４に受け渡し、該ＩＤ生成部３４において第１の識別信号Ｉ１を発生させる。具体的には、ＩＤ生成部３４は、鍵データレジスタ３５に予め設定されている鍵データに基づいて、ＩＤ取得用コードＣ１に所定の演算処理（暗号処理）を施すことにより第１の識別信号Ｉ１を生成し、その第１の識別信号Ｉ１をＩＤ比較部３３に出力する。
【００３６】
一方、認証シーケンス部３１は、上記コード生成部３２において生成されたＩＤ取得用コードＣ１を通信部２５，２６を介して第２ＬＳＩ１５のＩＤ生成部３６にも送信し、該ＩＤ生成部３６において第２の識別信号Ｉ２を発生させる。具体的には、ＩＤ生成部３６は、鍵データレジスタ３７に予め設定されている鍵データに基づいて、ＩＤ取得用コードＣ１に所定の演算処理（暗号処理）を施すことにより第２の識別信号Ｉ２を生成し、その第２の識別信号Ｉ２を通信部２６，２５を介してＩＤ比較部３３に送信する。
【００３７】
次いで、認証シーケンス部３１は、ＩＤ生成部３４において生成された第１の識別信号Ｉ１と、第２ＬＳＩ１５（ＩＤ生成部３６）において生成された第２の識別信号Ｉ２とをＩＤ比較部３３にて比較する。このとき具体的には、ＩＤ比較部３３において、第１の識別信号Ｉ１と第２の識別信号Ｉ２とが一致するか否かが判定される。そして、認証シーケンス部３１は、このＩＤ比較部３３での比較結果（判定結果）を認証結果信号ＲＳとして認証判定部２２に送信する。
【００３８】
これにより、マイコン１３において、認証判定部２２は、第１ＬＳＩ１４より受信した認証結果信号ＲＳに基づいて、電池パック１２が適正なものであるか否かの判断のみを行う。すなわち、認証判定部２２は、第１の識別信号Ｉ１と第２の識別信号Ｉ２とが一致する旨を示す認証結果信号ＲＳを受信する場合に、携帯機器１１側からみた電池パック１２が適正なものであると判断する。
【００３９】
以上記述したように、本実施の形態によれば、以下の効果を奏する。
【００４０】
（１）電池パック１２の認証処理を行う認証処理部２３と、同認証に必要な携帯機器１１側の第１の識別信号Ｉ１を生成する暗号処理部２４と、電池パック１２側とデータ通信を行うための通信部２５とを備える専用ＬＳＩ（第１ＬＳＩ）１４を携帯機器１１内に搭載した。このような専用ＬＳＩ（第１ＬＳＩ）１４を搭載した認証システム１０では、第１の識別信号Ｉ１を発生させるための暗号処理のアルゴリズムが同ＬＳＩ１４内に組み込まれることにより、暗号アルゴリズムの秘匿性を高めることができる。これにより、暗号情報の漏洩を防止して、機密性の高いシステムを実現することができる。
【００４１】
（２）暗号処理部２４をソフトウェアでなく専用ＬＳＩ（第１ＬＳＩ）１４に備えたことで、同ＬＳＩ１４に組み込む暗号アルゴリズムを非公開の独自アルゴリズムとすることができる。これにより、比較的簡易なアルゴリズムであっても、機密性の高いシステムを実現することができる。
【００４２】
（３）暗号アルゴリズムを非公開にすることで同アルゴリズムを比較的簡易なものとすることができるため、暗号処理のソフト開発負荷を軽減することができる。これにより、高いセキュリティを実現し得るシステムを低コストで実現することが可能である。
【００４３】
（４）本実施の形態では、電池パック１２の認証処理を行う認証処理部２３、及び電池パック１２内に搭載される第２ＬＳＩ１５と通信処理を行うための通信部２５を第１ＬＳＩ１４内に備え、認証処理に係る両機器間のデータ通信を第１ＬＳＩ１４と第２ＬＳＩ１５との間で行うようにした。このような認証システム１０では、上記暗号方式に加え、認証方式及び通信方式（通信プロトコル）までもが第１ＬＳＩ１４内に組み込まれるため、システムの秘匿性を極めて高いものとすることができる。これにより、認証シーケンスや通信プロトコルの特殊性が漏洩するのを防止し得る、より機密性の高いシステムの構築が可能である。
【００４４】
（５）本実施の形態では、マイコン１３での処理は、電池パック１２の認証をすべく認証要求信号ＲＱを発生しこれを第１ＬＳＩ１４に送信する処理と、第１ＬＳＩ１４から受け取った認証結果信号ＲＳに基づいて電池パック１２が適正なものか否かを判定する処理のみとなる。従って、マイコン１３での処理の負荷を従来のシステム形態と比べて大きく軽減することができる。
【００４５】
（６）本実施の形態の認証システム１０では、機器の種類・変更等に伴って、暗号方式、認証方式、通信方式等が変更される場合にも、第１ＬＳＩ１４の構成を変更するのみで対応することができる。
【００４６】
（７）本実施の形態では、コード生成部３２によって発生されるランダムな符号列（ＩＤ取得用コードＣ１）に所定の演算処理（暗号処理）を施してそれぞれ識別信号を発生させるＩＤ生成部３４，３６を、第１ＬＳＩ１４及び第２ＬＳＩ１５に共通して備えた。従って、第１ＬＳＩ１４と第２ＬＳＩ１５との間では、ランダムなデータが通信されることになるため、その通信内容がモニタされたとしても、電池パック１２の認証手法が簡易に把握されることを回避することができる。
【００４７】
（８）本実施の形態では、同一の演算処理を行って識別信号を発生させるＩＤ生成部３４，３６を携帯機器１１及び電池パック１２に共通して設けたことにより、機密性を確保しつつも的確な識別処理を行うことができる。
【００４８】
尚、本発明は上記実施の形態に限定されるものではなく、以下のように変更して実施してもよい。
【００４９】
・上記実施の形態では、携帯機器１１側に搭載する第１ＬＳＩ１４の暗号処理部２４と電池パック１２側に搭載する第２ＬＳＩ１５の暗号処理部２７とを同一構成としたが、互いに異なる構成（異なる暗号処理のアルゴリズム）であってもよい。尚、この場合、ＩＤ比較部３３においては、暗号処理の相違に応じた識別信号の比較を行うようにする。
【００５０】
・第１ＬＳＩ１４のＩＤ生成部３４と第２ＬＳＩ１５のＩＤ生成部３６に送信されるＩＤ取得用コードは異なるものでもよい。この場合、ＩＤ比較部３３においては、ＩＤ取得用コードの相違に応じた識別信号の比較を行うようにする。
【００５１】
・上記実施の形態では、携帯機器１１に装着される電池パック１２を識別するシステムに適用したが、この携帯機器に限らず、例えばプリンタに装着されるインクカートリッジを識別するシステムなど、広く本体機器とそれに装着される着脱可能な外部機器に適用してもよい。
【００５２】
・上記実施の形態では、認証要求信号ＲＱを発生する認証トリガ発生部２１と認証結果信号ＲＳに基づいて判定を行う認証判定部２２とをマイコン１３内に備える構成としたが、それらを他の専用ハード等に備える構成としてもよい。
【図面の簡単な説明】
【００５３】
【図１】一実施の形態の認証システムの概略を示す全体構成図である。
【図２】同認証システムの具体的な構成を示す説明図である。
【図３】従来の認証システムの概略を示す全体構成図である。
【符号の説明】
【００５４】
１０：認証システム、１１：本体機器としての携帯機器、１２：外部機器としての電池パック、１３：認証装置としてのマイコン、１４：ＩＤ確認装置としての専用ＬＳＩ（第１ＬＳＩ）、１５：ＩＤ発生装置としての専用ＬＳＩ（第２ＬＳＩ）、２１：認証トリガ発生部、２２：認証判定部、２３：認証処理部、２４：第１の暗号処理部、２５：第１の通信部、２６：第２の通信部、２７：第２の暗号処理部、ＲＱ：認証要求信号、ＲＳ：認証結果信号、Ｃ１：ＩＤ取得用コード、Ｉ１：第１の識別信号、Ｉ２：第２の識別信号。
【図１】
2005073053.tif 000003
【図２】
2005073053.tif 000004
【図３】
2005073053.tif 000005